(57)【要約】      （修正有）【課題】２つの水廻り機器の設置レイアウトの自由度の高い排水構造を提供する。【解決手段】排水構造１０は、２つの水廻り機器（食洗機２１及びシンク２２）と、水廻り機器にそれぞれ設けられる排水トラップ４１，４２の下流側に接続された配管３１，３２と、配管３１，３２が上流側の端部２８Ａにそれぞれ接続され、水廻り機器から配管３１，３２を通じて流された排水を横方向へ流す横引き管２８と、食洗機２１（一方の水廻り機器）側の配管３１に設けられ、該配管３１内での空気溜まりを抑制する封水構造３４（空気溜まり抑制部）と、を有し、食洗機２１（一方の水廻り機器）側の排水トラップ４１から横引き管２８への接続部３１Ａまでの配管３１の横方向の流路長が、シンク２２（他方の水廻り機器）側の排水トラップ４２から横引き管２８への接続部３２Ａまでの配管３２の横方向の流路長より長く設定されている。【選択図】図２
2020143490.tif 000002
【特許請求の範囲】
【請求項１】
２つの水廻り機器と、
前記水廻り機器にそれぞれ設けられる排水トラップの下流側に接続された配管と、
前記配管が上流側の端部にそれぞれ接続され、前記水廻り機器から前記配管を通じて流された排水を横方向へ流す横引き管と、
一方の前記水廻り機器側の前記配管に設けられ、該配管内での空気溜まりを抑制する空気溜まり抑制部と、を有し、
一方の前記水廻り機器側の前記配管における前記排水トラップから前記横引き管への接続部までの横方向の流路長が、他方の前記水廻り機器側の前記配管における前記排水トラップから前記横引き管への接続部までの横方向の流路長より長く設定された排水構造。
【請求項２】
前記空気溜まり抑制部として、前記一方の水廻り機器からの排水が行われていない時に、前記配管内が水で満たされる封水構造を有している請求項１に記載の排水構造。
【請求項３】
前記封水構造は、前記配管の流路が、該封水構造を有する側の前記水廻り機器から前記接続部までの間に、一旦下がり、上がり、再び下がって構成されている請求項２に記載の排水構造。
【請求項４】
前記封水構造において、前記流路が上下する部分に、水平方向に対して斜めに傾斜する傾斜部が設けられている請求項３に記載の排水構造。
【請求項５】
前記封水構造における前記配管の流路が一旦下がってから上がるまでの間に水平部が設けられ、
前記水平部は、前記横引き管の上方に重ねて設けられ、かつ前記横引き管に沿って延びている請求項３又は請求項４に記載の排水構造。
【請求項６】
前記封水構造を有する前記配管のうち前記封水構造を構成しない部分に清掃口が設けられている請求項２〜請求項５の何れか１項に記載の排水構造。
【請求項７】
他方の水廻り機器側の前記配管には、圧力緩衝部が設けられており、
前記圧力緩衝部の許容容量は、前記一方の水廻り機器側の前記配管における前記封水構造の下流側端部から、前記他方の水廻り機器側の前記配管における前記圧力緩衝部の接続位置までの容積の合計よりも大きい請求項２〜請求項６の何れか１項に記載の排水構造。
【請求項８】
建物の上下方向に配設される排水立て管と、
請求項１〜請求項７の何れか１項に記載の排水構造と、
前記排水立て管に接続され前記横引き管からの排水を下方へ流す竪管と、
を有するサイホン排水システム。
【発明の詳細な説明】
【技術分野】
【０００１】
本発明は、排水構造及びサイホン排水システムに関する。
【背景技術】
【０００２】
サイホン排水システムにおいて、２つの水廻り機器（台所流し台と食洗機）からの排水を流す配管が一本の横引き管に接続された構造が開示されている（特許文献１参照）。台所流し台の配管は、横引き管の上流端に接続されている。食洗機の配管は、横引き管の上流端より下流側に接続されている。食洗機の配管と横引き管の接続部分が、台所流し台からの排水と食洗機からの排水が合流する合流部となっている。
【先行技術文献】
【特許文献】
【０００３】
【特許文献１】特開２０１６−１９６７４４号公報
【発明の概要】
【発明が解決しようとする課題】
【０００４】
しかしながら、一方の水廻り機器（例えば食洗機）から排水が流れると、一方の水廻り機器から合流部までの間の空気が他方の水廻り機器（例えば台所流し台）側の配管に流入し、該配管内の圧力が上昇し、排水トラップの封水が失われる（破封する）不具合が生じる場合がある。
【０００５】
この対策として、２つの水廻り機器の位置をできるだけ近づけて、一方の水廻り機器（食洗機）から合流部までの配管の容積を抑えることが考えられるが、水廻り機器の設置レイアウトの自由度の低下を招く可能性がある。
【０００６】
本発明は、２つの水廻り機器の設置レイアウトの自由度を高めることを目的とする。
【課題を解決するための手段】
【０００７】
第１の態様に係る排水構造は、２つの水廻り機器と、前記水廻り機器にそれぞれ設けられる排水トラップの下流側に接続された配管と、前記配管が上流側の端部にそれぞれ接続され、前記水廻り機器から前記配管を通じて流された排水を横方向へ流す横引き管と、一方の前記水廻り機器側の前記配管に設けられ、該配管内での空気溜まりを抑制する空気溜まり抑制部と、を有し、一方の前記水廻り機器側の前記排水トラップから前記横引き管への接続部までの前記配管の横方向の流路長が、他方の前記水廻り機器側の前記排水トラップから前記横引き管への接続部までの前記配管の横方向の流路長より長く設定されている。
【０００８】
この排水構造では、一方の水廻り機器側の排水トラップから横引き管への接続部までの配管の横方向の流路長が、他方の水廻り機器の排水トラップから横引き管への接続部までの配管の横方向の流路長より長く設定されている。そして、一方の水廻り機器側の配管に空気溜まり抑制部が設けられている。したがって、該水廻り機器から排水を流したときに、流路長が短い他方の水廻り機器側における配管の圧力上昇に起因する該他方の水廻り機器側の排水トラップでの封水の破封が抑制される。したがって、水廻り機器側から横引き管までの配管の長さを大きくして、２つの水廻り機器の設置位置を互いに離すことが可能となる。
【０００９】
第２の態様は、第１の態様に係る排水構造において、前記空気溜まり抑制部として、前記一方の水廻り機器からの排水が行われていない時に、前記配管内が水で満たされる封水構造を有している。
【００１０】
この排水構造では、空気溜まり抑制部としての封水構造を有している。この封水構造においては、一方の水廻り機器からの排水が行われていない時に配管内が水で満たされるので、配管内での空気溜まりの形成が抑制される。この水は、一方の水廻り機器からの排水の残りでもよいし、外部から配管内に供給される水であってもよい。配管内が水で満たされることにより、配管内に残留する空気の量を抑制できる。このため、一方の水廻り機器からの排水時に、他方の水廻り機器側の配管に空気が流入することを抑制できる。
【００１１】
第３の態様は、第２の態様に係る排水構造において、前記封水構造が、前記配管の流路が、該封水構造を有する側の前記水廻り機器から前記接続部までの間に、一旦下がり、上がり、再び下がって構成されている。
【００１２】
この排水構造では、封水構造において、配管の流路が、該封水構造を有する側の水廻り機器から接続部までの間に、一旦下がり、上がり、再び下がって構成されているので、簡易な構成により、配管内を水で満たすことができる。
【００１３】
第４の態様は、第３の態様に係る排水構造であって、前記封水構造において、前記流路が上下する部分に、水平方向に対して斜めに傾斜する傾斜部が設けられている。
【００１４】
この排水構造では、封水構造において流路が上下する部分に、水平方向に対して斜めに傾斜する傾斜部が設けられているので、空気溜まりが形成され難い。
【００１５】
第５の態様は、第３の態様又は第４の態様に係る排水構造において、前記封水構造における前記配管の流路が一旦下がってから上がるまでの間に水平部が設けられ、前記水平部は、前記横引き管の上方に重ねて設けられ、かつ前記横引き管に沿って延びている。
【００１６】
この排水構造では、封水構造における水平部が、横引き管の上方に重ねて設けられ、かつ横引き管に沿って延びているので、配管の設置スペースを確保し易くなる。このため、一方の水廻り機器側の比較的長い配管を無理なく配置できる。
【００１７】
第６の態様は、第２〜第５の態様の何れか１態様に係る排水構造において、前記封水構造を有する前記配管のうち前記封水構造を構成しない部分に清掃口が設けられている。
【００１８】
この排水構造では、封水構造を有する配管に清掃口が設けられているので、該配管の清掃を必要に応じて容易に行うことができる。
【００１９】
第７の態様は、第２〜第６の態様の何れか１態様に係る排水構造において、他方の水廻り機器側の前記配管には、圧力緩衝部が設けられており、前記圧力緩衝部の許容容量は、前記一方の水廻り機器側の前記配管における前記封水構造の下流側端部から、前記他方の水廻り機器側の前記配管における前記圧力緩衝部の接続位置までの容積の合計よりも大きい。
【００２０】
この排水構造では、他方の水廻り機器側の配管に圧力緩衝部が設けられており、その許容容量が適切に設定されているので、一方の水廻り機器からの排水時に、封水構造の下流側端部から他方の水廻り機器側の配管における圧力緩衝部の接続位置までの空気が、該他方の水廻り機器側の配管に流入しても、その空気を圧力緩衝部で受け入れることができる。これにより、該配管内の圧力上昇を抑制し、他方の水廻り機器側の排水トラップでの封水の破封を抑制できる。
【００２１】
第８の態様に係るサイホン排水システムは、建物の上下方向に配設される排水立て管と、第１〜第７の態様の何れか１態様に係る排水構造と、前記排水立て管に接続され前記横引き管からの排水を下方へ流す竪管と、を有する。
【００２２】
このサイホン排水システムでは、２つの水廻り機器の設置レイアウトの自由度を高めた排水システムを提供できる。
【発明の効果】
【００２３】
本発明に係る排水構造及びサイホン排水システムによれば、２つの水廻り機器の設置レイアウトの自由度を高めることができる。
【図面の簡単な説明】
【００２４】
【図１】本実施形態に係る排水構造を備えた台所システムを示す平面図である。
【図２】（Ａ）は、本実施形態に係るサイホン排水システムを示す断面図である。（Ｂ）は、配管と横引き管の位置関係を示す、図２（Ａ）における２Ｂ−２Ｂ矢視拡大断面図である。
【図３】変形例に係る排水構造を備えたサイホン排水システムを示す断面図である。
【図４】他の変形例に係る排水構造を備えたサイホン排水システムを示す断面図である。
【図５】他の変形例に係る排水構造を備えたサイホン排水システムを示す断面図である。
【図６】他の変形例に係る排水構造を示す図５における６−６矢視拡大断面図である。
【発明を実施するための形態】
【００２５】
以下、本発明を実施するための形態を図面に基づき説明する。図１において、本実施形態に係る排水構造１０は、サイホン排水システム１２の一部であり、例えば台所システム１３からの排水のために用いられる。
【００２６】
台所システム１３は、ガス台１８と、一方の水廻り機器の一例としての食洗機２１と、他方の水廻り機器の一例としての台所流し台のシンク２２とを有している。台所システム１３は、いわゆるＬ型キッチンであり、シンク２２の向きが、ガス台１８及び食洗機２１の向きに対して、直角に配置されている。換言すれば、ガス台１８及び食洗機２１は壁１１に沿って配置されており、シンク２２は壁１１から離れた位置に配置されている。これにより、シンク２２と食洗機２１とが隣り合って配置される場合と比較して、シンク２２と食洗機２１との間の距離が離れている。
【００２７】
図２（Ａ）に示されるように、建物１５の各階において、食洗機２１及びシンク２２は、床スラブ２４の上側に設置されている。サイホン排水システム１２は、排水立て管１４と、排水構造１０と、竪管１６とを有している。
【００２８】
排水立て管１４は、建物の上下方向に配設されており、建物１５の床スラブ２４の貫通穴２５を貫通している。この排水立て管１４には、竪管１６を連結する排水継手２６が設けられている。
【００２９】
竪管１６は、排水立て管１４に接続され横引き管２８からの排水を下方へ流す管であり、上端部が横引き管２８の下流端に接続されている。竪管１６の下端部は排水継手２６に接続されている。これにより、食洗機２１やシンク２２等の水廻り器具から排出され横引き管２８を通じて竪管１６に流入した排水を、排水立て管１４に合流させるように構成されている。
【００３０】
なお、図面では、管継手等、各配管の接続部分の構成が適宜省略又は簡略化されて示されている。
【００３１】
図２（Ａ）において、排水構造１０は、２つの水廻り機器としての食洗機２１及びシンク２２と、配管３１，３２と、横引き管２８と、空気溜まり抑制部としての封水構造３４とを有している。
【００３２】
配管３１，３２は、食洗機２１及びシンク２２にそれぞれ設けられる排水トラップ４１，４２の下流側に接続されている。具体的には、配管３１は、食洗機２１に設けられる排水トラップ４１の下流側に接続されている。また、配管３２は、シンク２２に設けられる排水トラップ４２の下流側に接続され、下方に延びている。
【００３３】
排水トラップ４１，４２は、汚臭やガス等の逆流を防止するためのいわゆる封水式トラップである。排水トラップ４１は、例えば食洗機２１に内蔵されている。排水トラップ４２は、シンク２２の排水口に接続された例えばＳ字トラップである。なお、排水トラップ４１，４２の形式は任意であり、カップ型のトラップ等を用いてもよい。
【００３４】
排水トラップ４２の例えば上端部（配管３２の上方）には、通気弁４４が取り付けられている。通気弁４４は、外部からの空気を排水トラップ４２へ通過させると共に排水トラップ４２から外部へ排水及び空気を通過させないための部品である。
【００３５】
横引き管２８は、配管３１，３２が上流側の端部２８Ａにそれぞれ接続され、水廻り機器から配管３１，３２を通じて流された排水を横方向へ流す管である。具体的には、横引き管２８の上流側の端部２８Ａには、配管３１の下流側の端部と、配管３２の下流側の端部とがそれぞれ接続されている。図２（Ａ）に示される例では、横引き管２８の上流側の端部２８Ａにおいて、配管３１の接続部３１Ａが、配管３２の接続部３２Ａの下流側近傍に接続されている。一例として、接続部３１Ａは、後述する圧力緩衝部３６の下方に配置されている。横引き管２８の上流側の端部２８Ａにおける接続部３１Ａ，３２Ａ間の流路長は、なるべく短いことが望ましい。この流路長が短いほど、接続部３１Ａ，３２Ａ間での空気溜まりの形成を抑制できるためである。
【００３６】
なお、配管３１の接続部３１Ａは、配管３２の接続部３２Ａの上流側に配置されていてもよい。図示は省略するが、例えば配管３１の接続部３１Ａが、配管３２における接続部３２Ａより上流側で、かつ後述する圧力緩衝部３６の下流側に接続されていてもよい。
【００３７】
シンク２２側の配管３２には、圧力緩衝部３６が設けられている。この圧力緩衝部３６は、配管３２を通じて排水トラップ４２に作用する圧力を緩和するための部品である。配管３２と連通し、弾性的に拡縮可能な袋体を内部に有している（図示せず）。袋体は、配管３２の下流側端部から正圧を受けた際に弾性変形して膨らみ、下流側に生じた圧力を緩和できるように構成されている。
【００３８】
封水構造３４は、食洗機２１側の配管３１に設けられ、該配管３１内での空気溜まりを抑制するものである。ここで、配管３１における排水トラップ４１から横引き管２８への接続部３１Ａまでの横方向の流路長は、配管３２における排水トラップ４２から横引き管２８への接続部３２Ａまでの横方向の流路長よりも長い。比較的長い配管３１には空気溜まりが形成され易いため、該配管３１に封水構造３４を設けて、配管３１内での空気溜まりの形成を抑制している。
【００３９】
この封水構造３４は、食洗機２１からの排水が行われていない時に、配管３１内が水で満たされるように構成されている。この水は、食洗機２１からの排水の残りでもよいし、外部から配管３１内に供給される水であってもよい。
【００４０】
具体的には、封水構造３４は、配管３１の流路が、食洗機２１から接続部３１Ａまでの間に、一旦下がり、上がり、再び下がって構成されている。ここで、排水トラップ４１から流路が斜め下方に一旦下がる部分を下降部３４Ａとし、流路が上がる部分を上昇部３４Ｃとし、流路が再び下がる部分を再下降部３４Ｅとする。封水構造３４における配管３１の流路が一旦下がってから上がるまでの間、つまり下降部３４Ａと上昇部３４Ｃとの間には、例えば水平部３４Ｂが設けられている。このように、封水構造３４は、Ｕ字トラップ状に構成されている。もし、配管３１に、上がってから再び下がる再下降部３４Ｅがなく下流側の配管に直接合流するとなると、配管３１は上下方向に延びるシンク２２側の配管３２に合流することになるが、その場合、シンク２２側からの排水が配管３１に流入し易くなる。特に配管３１内の圧力変動が生じている場合、流入し易くなる。配管３１が再下降部３４Ｅにより横引き管２８に対して上から合流することで、横引き管２８の排水が配管３１に流入せず、またシンク２２側からの排水も流入しないため、食洗器２１側の配管３１内の圧力変動が起きにくい。
【００４１】
水平部３４Ｂは水で満たされるので、接続部３１Ａを接続部３２Ａに近づけ、水平部３４Ｂの範囲を大きく設定すると、配管３１に空気溜まりが形成される領域を少なくすることができる。このため、接続部３１Ａ，３２Ａは、横引き管２８の上流側の端部２８Ａにそれぞれ配置されている。
【００４２】
また、流路が上がってから再び下がるまでの間、つまり上昇部３４Ｃと再下降部３４Ｅとの間にも、水平部３４Ｄが設けられている。なお、この水平部３４Ｄを短く、又は無くして、排水が上昇部３４Ｃから再下降部３４Ｅに直ちに流入するようにしてもよい。これにより、水平部３４Ｄの配管内の空気を失くすことができる。
【００４３】
図２（Ｂ）に示されるように、水平部３４Ｂは、横引き管２８の上方に重ねて設けられ、かつ横引き管２８に沿って延びている。水平部３４Ｂは、図示しない支持部材により、横引き管２８の上方に適宜間隔を空けて配置されている。
【００４４】
図２（Ａ）において、圧力緩衝部３６の許容容量は、食洗機２１側の配管３１における封水構造３４の下流側端部Ａから、シンク２２側の配管３２における圧力緩衝部３６の接続位置Ｂまでの容積の合計よりも大きい。下流側端部Ａとは、封水構造３４において配管３１内が水で満たされる領域の下流側の端部である。換言すれば、下流側端部Ａは、封水構造３４の下流側における封水の液面Ｌの高さに相当する。また、「下流側端部Ａから接続位置Ｂまで」とは、区間ＡＢを意味する。
【００４５】
（作用）
本実施形態は、上記のように構成されており、以下その作用について説明する。図２（Ａ）において、本実施形態に係る排水構造１０及びサイホン排水システム１２では、食洗機２１側の排水トラップ４１から横引き管２８への接続部３１Ａまでの配管３１の横方向の流路長が、シンク２２側の排水トラップ４２から横引き管２８への接続部３２Ｂまでの配管３２の横方向の流路長よりも長い。この食洗機２１側の配管３１に、空気溜まり抑制部としての封水構造３４が設けられている。
【００４６】
封水構造３４においては、食洗機２１からの排水が行われていない時に配管３１内が水で満たされる（液面Ｌ）。少なくとも水平部３４Ｂは完全に水で満たされる。このように、配管３１内が水で満たされることにより、配管３１内での空気溜まりの形成が抑制され、配管３１内に残留する空気の量が抑制される。したがって、食洗機２１からの排水時に、食洗機２１側の配管３１に残留する空気が、流路長が短いシンク２２側の配管３２に流入することを抑制できる。このため、配管３２の圧力上昇に起因する該シンク２２側の排水トラップ４２での封水の破封が抑制される。
【００４７】
また、封水構造３４において、配管３１の流路が、該封水構造３４を有する側の水廻り機器、つまり食洗機２１から接続部３１Ａまでの間に、一旦下がり、上がり、再び下がって構成されている。具体的には、食洗機２１から接続部３１Ａの間に、順に下降部３４Ａ、水平部３４Ｂ、上昇部３４Ｃ、水平部３４Ｄ及び再下降部３４Ｅが設けられている。このような、Ｕ字トラップ状の簡易な構成により、配管３１内を水で満たすことができる。また、水平部３４Ｂがあることで、配管３１内を密に保ちつつ、水平方向に配管３１の距離を延ばせることができるため、水回り機器のレイアウトの自由度を高めることができる。
【００４８】
更に、図２（Ａ），（Ｂ）に示されるように、封水構造３４における水平部３４Ｂが横引き管２８の上方に重ねて設けられ、かつ横引き管２８に沿って延びているので、配管３１の設置スペースを確保し易くなる。このため、食洗機２１側の比較的長い配管３１を無理なく配置できる。
【００４９】
また、シンク２２側の配管３２に圧力緩衝部３６が設けられており、その許容容量が適切に設定されているので、食洗機２１からの排水時に、封水構造３４の下流側端部Ａからシンク２２側の配管３２における圧力緩衝部３６の接続位置Ｂまで（区間ＡＢ）の空気が、該シンク２２側の配管３２に流入しても、その空気を圧力緩衝部３６で受け入れることができる。これにより、該配管３２内の圧力上昇を抑制し、シンク２２側の排水トラップ４２での封水の破封を抑制できる。
【００５０】
このように、本実施形態に係る排水構造１０及びサイホン排水システム１２によれば、食洗機２１側から横引き管２８までの配管３１の長さを大きく設定して、食洗機２１とシンク２２の設置位置を互いに離すことが可能となる。このため、２つの水廻り機器の設置レイアウトの自由度を高めることができる。図１に示されるように、シンク２２と食洗機２１が離れたＬ型キッチンにも対応できる。
【００５１】
（変形例）
本実施形態は、次の変形例のように構成することも可能である。図３に示される例では、封水構造３４において、流路が上下する部分、水平方向に対して斜めに傾斜する傾斜部３４Ｆが設けられている。具体的には、図２（Ａ）における、上下方法に延びる上昇部３４Ｃの代わりに、傾斜部３４Ｆが設けられている。この例では、封水構造３４において流路が上下する部分に、水平方向に対して斜めに傾斜する傾斜部３４Ｆが設けられているので、水平部３４Ｂから傾斜部３４Ｆに空気が流れ易くなるため、水平部３４Ｂに空気溜まりが形成され難い。
【００５２】
図４に示される例では、封水構造３４を有する配管３１のうち封水構造３４を構成しない部分、つまり水で満たされない部分に清掃口４６が設けられている。具体的には、図２（Ａ）の下降部３４Ａに相当する部分が排水トラップ４２に接続された水平部３４Ｇと、水平部３４Ｇの下流端に接続された下降部３４Ｈとに置き換えられている。清掃口４６は、該下降部３４Ｈの上端に設けられている。図示は省略するが、清掃口４６は開口部と、該開口部を閉塞可能な着脱可能な蓋とを有している。配管３１の清掃時には、清掃口４６の蓋を外して配管３１内に清掃用具を挿入することが可能となっている。
【００５３】
この例では、封水構造３４を有する配管３１に清掃口４６が設けられているので、該配管３１の清掃を必要に応じて容易に行うことができる。
【００５４】
図５、図６に示される例では、図１〜図４に示される例とは異なり、食洗機２１とシンク２２の配置が左右で入れ替わっており、配管３１，３２が交差している。この場合、配管３２が傾斜部３４Ｆ又は水平部３４Ｄと干渉するため、図６に示されるように、傾斜部３４Ｆ又は水平部３４Ｄが配管３２を避けて配置されている。
【００５５】
圧力緩衝部３６がある方の配管３２は、横引き管２８の上流側に接続される。圧力緩衝部３６がない方の配管３１は、圧力緩衝部３６のある方の配管３２内の空気の影響を受けやすくなるため、必ず横引き管２８の下流側に接続しなければならない。これにより水回り機器のレイアウトの制約が出てしまうが、本変形例のような配管接続構造を用いることで、水廻り機器のレイアウトの自由度を高めることが可能となっている。
【００５６】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５７】
上記実施形態では、２つの水廻り機器としての食洗機２１及びシンク２２を有するものとしたが、更に他の水廻り機器を有していてもよい。その場合、他の水廻り機器の配管を横引き管２８の上流側の端部に接続すると共に、必要に応じて該配管に空気溜まり抑制部を設けてもよい。
【００５８】
空気溜まり抑制部の一例として、封水構造３４を挙げたが、更に配管３１に残留する空気を受け入れ可能な圧力緩衝部を設けてもよい（図示せず）。その場合、封水構造３４により空気溜まりの形成が抑制されるので、該圧力緩衝部の容量を小さくすることができる。
【００５９】
図２（Ａ）では、横引き管２８及び配管３１が直線状に描かれているが、これに限られず、図１に示されるように、横引き管２８及び配管３１がＬ字形に屈曲していてもよい。
【００６０】
封水構造３４において、下降部３４Ａ、水平部３４Ｂ及び上昇部３４Ｃの代わりに、Ｖ字部を設けてもよい（図示せず）。
【符号の説明】
【００６１】
１０…排水構造、１２…サイホン排水システム、１４…排水立て管、１５…建物、１６…竪管、２１…食洗機（一方の水廻り機器）、２２…シンク（他方の水廻り機器）、２８…横引き管、２８Ａ…上流側の端部、３１…配管、３１Ａ…接続部、３２…配管、３２Ａ…接続部、３４…封水構造（空気溜まり抑制部）、３４Ｆ…傾斜部、３６…圧力緩衝部、４１…排水トラップ、４２…排水トラップ、４６…清掃口、Ａ…封水構造の下流側端部、Ｂ…圧力緩衝部と配管との接続部
【図１】
2020143490.tif 000003
【図２】
2020143490.tif 000004
【図３】
2020143490.tif 000005
【図４】
2020143490.tif 000006
【図５】
2020143490.tif 000007
【図６】
2020143490.tif 000008